(57)【要約】      （修正有）【課題】デュアル周波同軸ヘッドフォンを提供する。【解決手段】デュアル周波同軸ヘッドフォンはスピーカーフレーム１、共用ヨーク２、高周波スピーカーパート３、低周波スピーカーパート４を含み、高周波スピーカーパート３と低周波スピーカーパート４を共用ヨーク２の内外に同軸で設置することができ、スピーカーフレーム１の中央開口部１１１と同一軸線に設置する。高周波スピーカーパート３の永久磁石３１と低周波スピーカーパート４の環状磁石４１は反対極性を備えるため、低周波スピーカーパート４のボイスバンドは音通過環状槽を通って反対となり、高周波スピーカーパート３のボイスバンドと同極性となり同期に出力される。よって、高周波スピーカーパート３と低周波スピーカーパート４の異なるボイスバンドは分離され、高、低ボイスバンドの調整ディストーションの問題を効果的に解決することができ、ヘッドフォンの体積を最小化することもできる。【選択図】図２
0003145100.tif 000002
【実用新案登録請求の範囲】
【請求項１】
スピーカーフレーム、共用ヨーク、高周波スピーカーパート、低周波スピーカーパートを含み、
該スピーカーフレームは前板、周辺壁を含み、
該周辺壁は該前板の外周縁に環状に設置し、該周辺壁の内面は該前板の内面と共同で取り囲み収容設置空間を形成し、
該前板は中央開口部を貫通設置し、複数の音通過孔は該収容設置空間にそれぞれ通じ、該複数の音通過孔はそれぞれ該中央開口部外周縁の前板上の少なくとも一部分に設置し、
該共用ヨークはキャップ形状を呈し、該スピーカーフレームの収容設置空間内に収容設置し、該共用ヨークはキャップ冠部、キャップ縁部を含み、
該キャップ縁部は該キャップ冠部の外周縁に環状に設置し、該キャップ縁部は該スピーカーフレームの前板内面に固設し、
該キャップ冠部は該前板の中央開口部に同軸で対応し、該前板から離れ、該キャップ冠部は内凹面を含み、
該高周波スピーカーパートは永久磁石、ポールピース、高周波ボイスコイル、高周波振動膜を含み、
該永久磁石は該共用ヨークのキャップ冠部内に収容設置し、該永久磁石は該ポールピースと該共用ヨークの内凹面の間に挟み設置し、
該高周波ボイスコイルは該高周波振動膜上に組み合わせ設置し、該ポールピースの周縁外に環状に対応するが、該ポールピースとは径方向に間隙を保持し、該高周波振動膜の外周は該スピーカーフレーム中央開口部の前板上に組み立て設置し、
該低周波スピーカーパートは環状磁石、環状ポールピース、低周波ボイスコイル、低周波振動膜を含み、
該環状磁石は該共用ヨークのキャップ冠部外に嵌設し、該環状磁石は該環状ポールピースと該共用ヨークのキャップ縁部の間に挟み設置し、該環状磁石と該高周波スピーカーパートの永久磁石は相反極性を備え、
該低周波ボイスコイルは該低周波振動膜上に組み合わせ設置し、該環状ポールピースのリング内に対応収容するが、該環状ポールピースとは径方向に間隙を保持し、これにより該低周波振動膜外周は該スピーカーフレーム周辺壁上に組み合わせ設置し、
該共用ヨークと該低周波スピーカーパートは共に該スピーカーフレームの該周辺壁より小さく、音通過環状槽を隔て開け、該音通過環状槽は該スピーカーフレームの該複数の音通過孔に通じることを特徴とするデュアル周波同軸ヘッドフォン。
【請求項２】
請求項１記載のデュアル周波同軸ヘッドフォンにおいて、前記デュアル周波同軸ヘッドフォンはさらにヘッドフォンケース、信号ケーブルを含むことを特徴とするデュアル周波同軸ヘッドフォン。
【請求項３】
請求項２記載のデュアル周波同軸ヘッドフォンにおいて、前記ヘッドフォンケースは耳栓を含むことを特徴とするデュアル周波同軸ヘッドフォン。
【請求項４】
請求項２記載のデュアル周波同軸ヘッドフォンにおいて、前記ヘッドフォンケースは耳カバーを含むことを特徴とするデュアル周波同軸ヘッドフォン。
【請求項５】
請求項１記載のデュアル周波同軸ヘッドフォンにおいて、前記デュアル周波同軸ヘッドフォンはさらに回路板を含むことを特徴とするデュアル周波同軸ヘッドフォン。
【請求項６】
請求項１記載のデュアル周波同軸ヘッドフォンにおいて、前記デュアル周波同軸ヘッドフォンは分周波回路を含むことを特徴とするデュアル周波同軸ヘッドフォン。
【請求項７】
請求項１記載のデュアル周波同軸ヘッドフォンにおいて、前記高周波振動膜は内凹環、外凹環を含み、該高周波ボイスコイルは該内凹環に組み合わせ設置し、該外凹環は該スピーカーフレームの前板上に組み合わせ設置することを特徴とするデュアル周波同軸ヘッドフォン。
【請求項８】
請求項１記載のデュアル周波同軸ヘッドフォンにおいて、前記低周波振動膜は内凹環、外凹環を含み、該低周波ボイスコイルは該内凹環に組み合わせ設置し、該外凹環は該スピーカーフレームの周辺壁上に組み合わせ設置することを特徴とするデュアル周波同軸ヘッドフォン。
【請求項９】
請求項１記載のデュアル周波同軸ヘッドフォンにおいて、前記デュアル周波同軸ヘッドフォンは固定リングを含み、該固定リングを該スピーカーフレーム周辺壁後端縁の内面上に組み合わせ設置することを特徴とするデュアル周波同軸ヘッドフォン。
【考案の詳細な説明】
【技術分野】
【０００１】
本考案はヘッドフォン構造に関する。特にデュアル周波同軸に適用するヘッドフォンに係る。
【背景技術】
【０００２】
公知ヘッドフォンの断面図である図１に示すように、公知のヘッドフォン９はヘッドフォンケース９０、信号ケーブル９１  振動膜９２、永久磁石９３、ボイスコイル９４、ポールピース９５、ヨーク９６を含む。
図１に示すように、該信号ケーブル９１、該振動膜９２、該永久磁石９３、該ボイスコイル９４、該ポールピース９５、該ヨーク９６は該ヘッドフォンケース９０内部にそれぞれ収容設置する。該ボイスコイル９４は該振動膜９２上に組み合わせ、該永久磁石９３の周縁外に環状に対応するが、該ポールピース９５とは径方向の間隙を保持し、該永久磁石９３は該ポールピース９５と該ヨーク９６の間に挟み設置する。
該信号ケーブル９１と該ボイスコイル９４は電気的に接続し、ボイスバンド信号が該信号ケーブル９１を通して該ボイスコイル９４に入力されると、該ボイスコイル９４は電磁効果により磁場を生じる。該磁場はさらに、該ポールピース９５と磁力相互作用を発生し、該振動膜９２を振動させ、こうしてボイスバンド信号はボイスバンドサウンドウエーブに転換され出力される。
【０００３】
公知構造において、一般のボイスバンド信号は高、低ボイスバンド部分を含むため、同一の振動膜９２上において振動すると同時に高、低ボイスバンドサウンドウエーブを発生するが、高、低ボイスバンドサウンドウエーブは異なる波長と振幅の特性を備えるため、同一の振動膜９２によれば、異なる特性をはっきりと区別することはできない。このため、しばしば高、低ボイスバンドの調整ディストーションを引き起こす欠点が存在し、音を明確に表現することはできない。
またもし高、低音スピーカーを設置し、それぞれ高、低ボイスバンド信号を再生するなら、公知のヘッドフォンの体積は大きくなり、現行のヘッドフォンのサイズに適応不能となり、これが業界関係者の困難となっている。
【考案の開示】
【考案が解決しようとする課題】
【０００４】
本考案の目的は公知構造の問題点を解決したデュアル周波同軸ヘッドフォンを提供することである。
【課題を解決するための手段】
【０００５】
デュアル周波同軸ヘッドフォンはスピーカーフレーム(frame)、共用ヨーク(shared yoke)、高周波スピーカーパート(high frequency speaker part)、低周波スピーカーパート(low frequency speaker part)を含み、
該スピーカーフレームは前板(front board)、周辺壁(peripheral wall)を含み、周辺壁は該前板の外周囲に環状に設置し、該周辺壁内面と該前板内面は一緒に取り囲み収容設置空間を形成し、該前板には中央開口部を貫通設置し、複数の音通過孔は該収容設置空間にそれぞれ通じ、該複数の音貫通孔は該中央開口部外周囲の前板上の少なくとも一部分に設置する。
【０００６】
該共用ヨークはキャップ形状を呈し、該スピーカーフレームの収容設置空間内に収容設置し、該共用ヨークはキャップ冠部、キャップ縁部を含み、該キャップ縁部は該キャップ冠部の外周縁に環状に設置し、該キャップ縁部は該スピーカーフレームの前板内面に固設し、該キャップ冠部は前板の中央開口部に同軸対応し、前板から離れ、該キャップ冠部は内凹面を含み、
高周波スピーカーパートは永久磁石(permanent magnet)、ポールピース(pole piece)、高周波ボイスコイル(high frequency voice coil)、高周波振動板( high frequency diaphragm)を含み、該永久磁石は該共用ヨークのキャップ冠部内に収容設置し、該永久磁石はポールピースと共用ヨークの内凹面の間に挟み設置し、高周波ボイスコイルは高周波振動膜上に組み合わせ設置し、ポールピースの周縁外に環状に対応し、該ポールピースと径方向の間隙を保持し、高周波振動膜外周囲は該スピーカーフレーム中央開口部外周の前板上に組み合わせ設置する。
【０００７】
低周波スピーカーパートは環状磁石、環状ポールピース、低周波ボイスコイル、低周波振動膜を含み、該環状磁石は該共用ヨークのキャップ冠部外に嵌め、環状磁石は環状ポールピースと共用ヨークのキャップ縁部の間に挟み設置し、環状磁石は高周波スピーカーパートのポールピースと反対の極性を備え、低周波ボイスコイルは低周波振動膜上に組み合わせ設置し、該環状ポールピースのリング内に収容設置し、該環状ポールピースと径方向に間隙を保持し、低周波振動膜外周は該スピーカーフレーム周辺壁後端縁の内面上に組み合わせ設置する。
【０００８】
該共用ヨークと該低周波スピーカーパートは共に該スピーカーフレームの該周辺壁内面より小さく、相互間には音通過環状槽を隔て、該音通過環状槽は該スピーカーフレームの該複数の音通過孔に通じ、
該高周波スピーカーパートと該低周波スピーカーパートを該共用ヨークの内外に同軸で設置することができ、該スピーカーフレームの中央開口部と同一軸線に設置する。
【０００９】
該高周波スピーカーパートの永久磁石と該低周波スピーカーパートの環状磁石は反対極性を備えるため、低周波スピーカーパートのボイスバンドは音通過環状槽を通って反対となり、高周波スピーカーパートのボイスバンドと同極性となり同期に出力され、よって、該高周波スピーカーパートと該低周波スピーカーパートの異なるボイスバンドは分離され、高、低ボイスバンドの調整ディストーションの問題を効果的に解決することができ、ヘッドフォンの体積を最小化することもできる。
【００１０】
該デュアル周波同軸ヘッドフォンはさらにヘッドフォンケース、信号ケーブルを含み、該ヘッドフォンケースは耳栓を含み、また該ヘッドフォンケースは耳カバーを含み、該デュアル周波同軸ヘッドフォンはさらに回路板或いは分周波回路を含み、
該高周波振動膜は内凹環、外凹環を含み、該高周波ボイスコイルは該内凹環に組み合わせ設置し、該外凹環は該スピーカーフレームの中央開口部の前板上に組み合わせ設置し、
該低周波振動膜は内凹環、外凹環を含み、該低周波ボイスコイルは該内凹環に組み合わせ設置し、該外凹環は該スピーカーフレームの周辺壁後端縁の内面上に組み合わせ設置し、デュアル周波同軸ヘッドフォンは固定リングを含み、該スピーカーフレーム周辺壁後端縁の内面上に組み合わせ設置する。
【考案の効果】
【００１１】
本考案は高周波スピーカーパートと低周波スピーカーパートの異なるボイスバンドを分離し、高、低ボイスバンドの調整ディストーション問題を効果的に解決することができ、ヘッドフォンの体積を最小化することもできる。
【考案を実施するための最良の形態】
【００１２】
本考案第一最適実施例の分解図である図２、本考案第一最適実施例の断面図である図３に示すように、本実施例デュアル周波同軸ヘッドフォンは、スピーカーフレーム１、共用ヨーク２、高周波スピーカーパート３、低周波スピーカーパート４を含む。
該スピーカーフレーム１は前板１１、周辺壁１２を含む。
該周辺壁１２は該前板１１の外周縁に環状に設置し、該周辺壁１２の内面１２０は該前板１１の内面１１０と共同で取り囲み収容設置空間１３を形成する。
該前板１１は中央開口部１１１を貫通設置し、複数の音通過孔１１２は該収容設置空間１３にそれぞれ通じ、該複数の音通過孔１１２はそれぞれ等距離で該中央開口部１１１外周縁の前板１１上の少なくとも一部分に設置する。
【００１３】
該共用ヨーク２はキャップ形状を呈し、該スピーカーフレーム１の収容設置空間１３内に収容設置し、該共用ヨーク２はキャップ冠部２１、キャップ縁部２２を含む。
該キャップ縁部２２は該キャップ冠部２１の外周縁に環状に設置し、該キャップ縁部２２は該スピーカーフレーム１の前板１１内面１１０に固設する。
該キャップ冠部２１は該前板１１の中央開口部１１１に同軸で対応し、該前板１１から離れる。
該キャップ冠部２１は内凹面２１１、外凸面２１２を含む。
【００１４】
該高周波スピーカーパート３は永久磁石３１、ポールピース３２、高周波ボイスコイル３３、高周波振動膜３４を含む。
該永久磁石３１は該共用ヨーク２のキャップ冠部２１内に収容設置し、該永久磁石３１は該ポールピース３２と該共用ヨーク２の内凹面２１１の間に挟み設置する。
該高周波ボイスコイル３３は該高周波振動膜３４上に組み合わせ設置し、該ポールピース３２の周縁外に環状に対応するが、該ポールピース３２とは径方向に間隙を保持し、該高周波ボイスコイル３３と該ポールピース３２の間において、該永久磁石３１の磁性を強化、集中する。該高周波振動膜３４の外周は該スピーカーフレーム１中央開口部１１１外周の前板１１上に組み立て設置する。
本実施例中では、該高周波振動膜３４は内凹環３４１、外凹環３４２を含み、該高周波ボイスコイル３３は該内凹環３４１上に組み合わせ設置し、該外凹環３４２は該スピーカーフレーム１中央開口部１１１外周の前板１１上に組み合わせ設置する。
【００１５】
低周波スピーカーパート４は環状磁石４１、環状ポールピース４２、低周波ボイスコイル４３、低周波振動膜４４を含む。
該環状磁石４１は該共用ヨーク２のキャップ冠部２１外に嵌設し、該環状磁石４１は該環状ポールピース４２と該共用ヨーク２のキャップ縁部２２の間に挟み設置する。該環状磁石４１と該高周波スピーカーパート３の永久磁石３１は相反極性を備える。
該低周波ボイスコイル４３は該低周波振動膜４４上に組み合わせ設置し、該環状ポールピース４２のリング内に対応収容し、該共用ヨーク２の該キャップ冠部２１との間に位置する。さらに該環状ポールピース４２とは径方向に間隙を保持し、これにより該低周波ボイスコイル４３と該環状ポールピース４２の間において、該環状磁石４１の磁性を強化、集中する。
該低周波振動膜４４外周は該スピーカーフレーム１周辺壁１２後端縁の内面１２０上に組み合わせ設置する。
【００１６】
本実施例中では、該低周波振動膜４４は内凹環４４１、外凹環４４２を含み、該低周波ボイスコイル４３は該内凹環４４１上に組み合わせ設置し、該外凹環４４２は該スピーカーフレーム１周辺壁１２後端縁の内面１２０上に組み合わせ設置する。
該共用ヨーク２と該低周波スピーカーパート４の外形は共に、該スピーカーフレーム１の周辺壁１２内面１２０より小さく、相互間は音通過環状槽４６を隔て、該音通過環状槽４６は該スピーカーフレーム１の複数の音通過孔１１２に通じる。
【００１７】
図２に示すように、本実施例のデュアル周波同軸ヘッドフォンはさらに回路板５を含み、該スピーカーフレーム１上に組み合わせ設置する。
デュアル周波同軸ヘッドフォンはさらに、分周波回路５１を含む。該分周波回路５１は周波ミックス入力信号を高周波出力信号と低周波出力信号に分離し、それぞれ高周波ボイスコイル３３と低周波ボイスコイル４３を提供し使用するが、該回路板５中に一体に設置し、小型化、軽量化することが最適である。
図２、３に示すように、本実施例のデュアル周波同軸ヘッドフォンは固定リング４５を含む。該固定リング４５は該スピーカーフレーム１周辺壁１２後端縁の内面１２０上に組み合わせ設置し、該低周波振動膜４４を固定する。
【００１８】
図３に示すように、聴取者の耳８２を参考基準とすると、該高周波スピーカーパート３の永久磁石３１の磁性はS-N極で、該低周波スピーカーパート４の環状磁石４１の極性はN-S極で、その極性は反対である。しかも、該低周波スピーカーパート４のボイスバンドは該音通過環状槽４６を通過し反対極性となり、該高周波スピーカーパート３のボイスバンドと相同極性となり同期出力される。
本実施例は主に該高周波スピーカーパート３と該低周波スピーカーパート４を該共用ヨーク２のキャップ冠部２１の内凹面２１１と外凸面２１２上に同軸設置し、該スピーカーフレーム１の中央開口部１１１と同一軸線に設置する。この他、該高周波スピーカーパート３永久磁石３１と該低周波スピーカーパート４の環状磁石４１は反対極性を備えるため、該低周波スピーカーパート４のボイスバンドは該音通過環状槽４６を通過し反対極性となり、該高周波スピーカーパート３のボイスバンドと相同極性となり同期出力される。よって、該高周波スピーカーパート３と該低周波スピーカーパート４の異なるボイスバンドを分離し、高、低ボイスバンドの調整ディストーションの問題を効果的に解決することができ、またヘッドフォンの体積を最小化することもできる。
【００１９】
本考案第一最適実施例の組合せ図である図４に示すように、本実施例のデュアル周波同軸ヘッドフォンはさらに、ヘッドフォンケース６、信号ケーブル６１を含む。該スピーカーフレーム１は該ヘッドフォンケース６内に収容設置し、該信号ケーブル６１は該分周波回路５１に電気的に接続する。これにより該分周波回路５１はミックス周波入力信号を提供する。
【００２０】
本考案第二最適実施例の断面図である図５に示すように、本実施例の構造は第一実施例とおよそ相同である。その相違点は、ヘッドフォンケース７がイヤホーン式であることで、そのため耳栓７１を含む。
本考案第三最適実施例の組合せ図である図６、本考案第三最適実施例の断面図である図７に示すように、本実施例の構造は第一実施例とおよそ相同である。その相違点は、ヘッドフォンケース８がフルカバー式であることで、そのため耳カバー８１を含む。
【図面の簡単な説明】
【００２１】
【図１】公知構造の断面図である。
【図２】本考案第一最適実施例の分解図である。
【図３】本考案第一最適実施例の断面図である。
【図４】本考案第一最適実施例の組合せ図である。
【図５】本考案第二最適実施例の断面図である。
【図６】本考案第三最適実施例の組合せ図である。
【図７】本考案第三最適実施例の断面図である。
【符号の説明】
【００２２】
１  スピーカーフレーム
１１  前板
１１１  中央開口部
１１２  音通過孔
１２  周辺壁
１１０  内面
１２０  内面
１３  収容設置空間
２  共用ヨーク
２１  キャップ冠部
２２  キャップ縁部
２１１  内凹面
２１２  外凸面
３  高周波スピーカーパート
３１  永久磁石
３２  ポールピース
３３  高周波ボイスコイル
３４  高周波振動膜
３４１  内凹環
３４２  外凹環
４  低周波スピーカーパート
４１  環状磁石
４２  環状ポールピース
４３  低周波ボイスコイル
４４  低周波振動膜
４４１  内凹環
４４２  外凹環
４５  固定リング
４６  音通過環状槽
５  回路板
５１  分周波回路
６  ヘッドフォンケース
６１  信号ケーブル
７  ヘッドフォンケース
７１  耳栓
８  ヘッドフォンケース
８１  耳カバー
８２  耳
９  ヘッドフォン
９０  ヘッドフォンケース
９１  信号ケーブル
９２  振動膜
９３  永久磁石
９４  ボイスコイル
９５  ポールピース
９６  ヨーク
【図１】
0003145100.tif 000003
【図２】
0003145100.tif 000004
【図３】
0003145100.tif 000005
【図４】
0003145100.tif 000006
【図５】
0003145100.tif 000007
【図６】
0003145100.tif 000008
【図７】
0003145100.tif 000009